【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】  光記憶媒体（４１２）から反射された光ビームと、検出器（４１０）を用いた該反射光ビーの検出とに応答して、該光記憶媒体（４１２）上でのトラック横断数を表すトラック計数信号を生成する方法において、
第１のカドラント信号（Ａ）、第２のカドラント信号（Ｂ）、第３のカドラント信号（Ｃ）および第４のカドラント信号（Ｄ）を該検出器から受け取るステップ
を含む方法であって、
第１のカドラント信号、第２のカドラント信号、第３のカドラント信号および第４のカドラント信号を相関させて、第１の相関信号（ＣＯＲＲ  Ｐ）を生成するステップと、
第１のカドラント信号、第２のカドラント信号、第３のカドラント信号および第４のカドラント信号を相関させて、第２の相関信号（ＣＯＲＲ  Ｎ）を生成するステップと、
調整可能な増幅値を受け取るステップと、
第１の相関信号、第２の相関信号および調整可能な増幅値に基づいて、トラック計数信号を生成するステップと
を含むことを特徴とする方法。
【請求項２】  第１の相関信号（ＣＯＲＲ  Ｐ）および第２の相関信号（ＣＯＲＲ  Ｎ）を基準軸を中心に配置するステップをさらに含む、請求項１に記載の方法。
【請求項３】  第１の相関信号（ＣＯＲＲ  Ｐ）および第２の相関信号（ＣＯＲＲ  Ｎ）の振幅を基準振幅に調整するステップをさらに含む、請求項１に記載の方法。
【請求項４】  前記第１のカドラント信号（Ａ）、第２のカドラント信号（Ｂ）、第３のカドラント信号（Ｃ）および第４のカドラント信号（Ｄ）を相関させて、第１の相関信号（ＣＯＲＲ  Ｐ）および第２の相関信号（ＣＯＲＲ  Ｎ）を生成するステップがさらに、第１のカドラント信号、第２のカドラント信号、第３のカドラント信号および第４のカドラント信号を相関データ構造（５７０）に入力することに基づいて、第１の相関値（ＲＰ０）、第２の相関値（ＲＰ１）、第３の相関値（ＲＮ０）および第４の相関値（ＲＮ１）を生成するステップを含む、請求項１に記載の方法。
【請求項５】  第１の相関値（ＲＰ０）と第２の相関値（ＲＰ１）を加算して第１の相関信号（ＣＯＲＲ  Ｐ）を生成するステップをさらに含む、請求項４に記載の方法。
【請求項６】  第３の相関値（ＲＮ０）と第４の相関値（ＲＮ１）を加算して第２の相関信号（ＣＯＲＲ  Ｎ）を生成するステップをさらに含む、請求項４に記載の方法。
【請求項７】  第１の相関信号（ＣＯＲＲ  Ｐ）と第２の相関信号（ＣＯＲＲ  Ｎ）との間のオフセットに基づいて、光記憶媒体（４１２）に対するシーク方向を推定するステップをさらに含む、請求項１に記載の方法。
【請求項８】  光記憶媒体（４１２）から反射された光ビームと、検出器（４１０）を用いた該反射光ビームの検出に応答し、該光記憶媒体（４１２）上でのトラック横断回数を表すトラック計数信号を生成するサーボ回路（４０６）において、
第１のカドラント信号（Ａ）、第２のカドラント信号（Ｂ）、第３のカドラント信号（Ｃ）および第４のカドラント信号（Ｄ）を前記検出器から受け取るように構成された差動位相検出器（４２０）
を備えたサーボ回路（４０６）であって、
差動位相検出器がさらに、第１のカドラント信号、第２のカドラント信号、第３のカドラント信号および第４のカドラント信号を相関させて第１の相関信号（ＣＯＲＲ  Ｐ）を生成し、第１のカドラント信号、第２のカドラント信号、第３のカドラント信号および第４のカドラント信号を相関させて第２の相関信号（ＣＯＲＲ  Ｎ）を生成し、第１の相関信号および第２の相関信号を転送するように構成されており、
サーボ回路がさらに、
第１の相関信号、第２の相関信号および調整可能な増幅値を受け取り、第１の相関信号、第２の相関信号および調整可能な増幅値に基づいてトラック計数信号を生成するように構成されたディジタル位相同期ループ（４３６）
を備えていることを特徴とするサーボ回路（４０６）。
【請求項９】  前記差動位相検出器（４２０）および前記ディジタル位相同期ループ（４３６）に結合され、第１の相関信号（ＣＯＲＲ  Ｐ）および第２の相関信号（ＣＯＲＲ  Ｎ）を基準軸を中心に配置するように構成された正規化システム（４３４）をさらに備えた、請求項８に記載のサーボ回路（４０６）。
【請求項１０】  前記差動位相検出器（４２０）および前記ディジタル位相同期ループ（４３６）に結合され、第１の相関信号（ＣＯＲＲ  Ｐ）および第２の相関信号（ＣＯＲＲ  Ｎ）の振幅を基準振幅に調整するように構成された正規化システム（４３４）をさらに備えた、請求項８に記載のサーボ回路（４０６）。
【請求項１１】  前記差動位相検出器（４２０）が、第１のカドラント信号（Ａ）、第２のカドラント信号（Ｂ）、第３のカドラント信号（Ｃ）および第４のカドラント信号（Ｄ）を受け取り、第１のカドラント信号、第２のカドラント信号、第３のカドラント信号および第４のカドラント信号を相関データ構造（５７０）に入力することに基づいて、第１の相関値（ＲＰ０）、第２の相関値（ＲＰ１）、第３の相関値（ＲＮ０）および第４の相関値（ＲＮ１）を生成し、第１の相関値、第２の相関値、第３の相関値および第４の相関値を転送するように構成された瞬時相関器（４２２）から成る、請求項８に記載のサーボ回路（４０６）。
【請求項１２】  前記差動位相検出器（４２０）がさらに、前記瞬時相関器（４２２）に結合され、前記第１の相関値（ＲＰ０）および前記第２の相関値（ＲＰ１）を受け取り、前記第１の相関値と前記第２の相関値を加算して前記第１の相関信号（ＣＯＲＲ  Ｐ）を生成し、前記第１の相関信号を転送するように構成された第１の加算器（４２５）を備えた、請求項１１に記載のサーボ回路（４０６）。
【請求項１３】  前記差動位相検出器（４２０）がさらに、前記瞬時相関器（４２２）に結合され、前記第３の相関値（ＲＮ０）および前記第４の相関値（ＲＮ１）を受け取り、前記第３の相関値と前記第４の相関値を加算して第２の相関信号（ＣＯＲＲ  Ｎ）を生成し、前記第２の相関信号を転送するように構成された第２の加算器（４２４）を備えた、請求項１１に記載のサーボ回路（４０６）。
【請求項１４】  前記ディジタル位相同期ループ（４３６）がさらに、前記第１の相関信号（ＣＯＲＲ  Ｐ）と前記第２の相関信号（ＣＯＲＲ  Ｎ）との間の位相オフセットに基づいて、前記光記憶媒体（４１２）に対するシーク方向を推定するように構成されている、請求項８に記載のサーボ回路（４０６）。
【請求項１５】  第１の信号および第２の信号を受け取ったことに応答して、光記憶媒体（４１２）上でのトラック横断回を表す第１のトラック計数信号を生成する方法であって、
前記第１の信号および前記第２の信号を受け取り、第１の信号に基づいて第１のエラー信号（８７１）を生成し、第２の信号に基づいて第２のエラー信号（８７３）を生成するステップと、
前記第１のエラー信号と前記第２のエラー信号を加算して第３のエラー信号（８７４）を生成するステップと、
調整可能な増幅値を受け取り、前記調整可能な増幅値に基づいて前記第３のエラー信号を増幅して、増幅された第３のエラー信号（８７８）を生成するステップと、
前記第１のトラック計数信号に速度信号を加算した信号を表すフィードバック信号（８９２）を受け取り、前記増幅された第３のエラー信号と前記フィードバック信号を加算して前記第２のトラック計数信号（８７９）を生成するステップと、
前記第２のトラック計数信号を遅延させて前記第１のトラック計数信号を生成するステップと
を特徴とする方法。
【請求項１６】  前記第１の信号と前記第２の信号の間の推定された位相差を表す位相オフセット信号を受け取り、前記オフセット信号に基づいて前記第１の信号を推定するステップをさらに含む、請求項１５に記載の方法。
【請求項１７】  前記第１の信号と前記第２の信号の間の推定された位相差を表す位相オフセット信号を受け取り、前記オフセット信号に基づいて前記第２の信号を推定するステップをさらに含む、請求項１５に記載の方法。
【請求項１８】  前記第１の信号が、差動位相検出器（４２０）によって生成された第１の相関信号（ＣＯＲＲ  Ｐ）を表す、請求項１５に記載の方法。
【請求項１９】  前記第２の信号が、差動位相検出器（４２０）によって生成された第２の相関信号（ＣＯＲＲ  Ｎ）を表す、請求項１５に記載の方法。
【請求項２０】  前記速度信号が、前記光記憶媒体（４１２）上のトラックの上を光ヘッドが通過する速度を表す、請求項１５に記載の方法。
【請求項２１】  前記第１のエラー信号と前記第２のエラー信号との間の位相オフセットに基づいて、前記光記憶媒体（４１２）に対するシーク方向を推定するステップをさらに含む、請求項１５に記載の方法。
【請求項２２】  前記トラック計数信号の一部分に基づいて、前記第１の信号および前記第２の信号を推定するステップをさらに含む、請求項１５に記載の方法。
【請求項２３】  第１の信号および第２の信号を受け取ったことに応答して、光記憶媒体（４１２）上でのトラック横断回数を表すトラック計数信号を生成するサーボ回路（４３６）であって、
前記第１の信号および前記第２の信号を受け取り、前記第１の信号に基づいて第１のエラー信号（８７１）を生成し、前記第２の信号に基づいて第２のエラー信号（８７３）を生成し、前記第１のエラー信号および前記第２のエラー信号を転送するように構成された位相エラー検出器（８１０）と、
前記位相エラー検出器に結合され、前記第１のエラー信号および前記第２のエラー信号を受け取り、前記第１のエラー信号と前記第２のエラー信号を加算して第３のエラー信号（８７４）を生成し、前記第３のエラー信号を転送するように構成された第１の加算器（８３０）と、
前記加算器に結合され、前記第３のエラー信号および調整可能な増幅値を受け取り、調整可能な増幅値に基づいて前記第３のエラー信号を増幅して増幅された第３のエラー信号（８７８）を生成し、前記増幅された第３のエラー信号を転送するように構成された増幅器（８４１）と、
前記増幅器に結合され、前記増幅された第３のエラー信号、および前記第１のトラック計数信号に速度信号を加算した信号を表すフィードバック信号（８９２）を受け取り、前記増幅された第３のエラー信号と前記フィードバック信号を加算して第２のトラック計数信号（８７９）を生成するように構成された第２の加算器（８３２）と、
第２の加算器に結合され、第２のトラック計数信号を受け取り、第２のトラック計数信号を遅延させて前記第１のトラック計数信号を生成し、前記第１のトラック計数信号を転送するように構成された遅延（８５１）と
を特徴とするサーボ回路（４３６）。
【請求項２４】  前記位相エラー検出器（８１０）がさらに、前記第１の信号と前記第２の信号の間の推定された位相差を表す位相オフセット信号を受け取り、前記オフセット信号に基づいて第１の信号を推定するように構成されている、請求項２３に記載のサーボ回路（４３６）。
【請求項２５】  前記位相エラー検出器（８１０）がさらに、前記第１の信号と前記第２の信号の間の推定された位相差を表す位相オフセット信号を受け取り、前記オフセット信号に基づいて第２の信号を推定するように構成されている、請求項２３に記載のサーボ回路（４３６）。
【請求項２６】  前記第１の信号が、差動位相検出器（４２０）によって生成された第１の相関信号（ＣＯＲＲ  Ｐ）を表す、請求項２３に記載のサーボ回路（４３６）。
【請求項２７】  前記第２の信号が、差動位相検出器（４２０）によって生成された第２の相関信号（ＣＯＲＲ  Ｎ）を表す、請求項２３に記載のサーボ回路（４３６）。
【請求項２８】  速度信号が、前記光記憶媒体（４１２）上のトラックの上を光ヘッドが通過する速度を表す、請求項２３に記載のサーボ回路（４３６）。
【請求項２９】  第２の加算器（８３２）および増幅器（８４１）に結合され、トラック計数中に欠陥が検出された場合に第２の加算器から増幅器を切り離すように構成された欠陥回路（８６０）をさらに備えた、請求項２３に記載のサーボ回路（４３６）。
【請求項３０】  位相エラー検出器（８１０）に結合され、前記第１のエラー信号（８７１）および前記第２のエラー信号（８７３）を受け取り、前記第１のエラー信号および前記第２のエラー信号を処理して第１のエラー信号と第２のエラー信号の間のオフセットを決定し、オフセットに基づいて光記憶媒体（４１２）に対するシーク方向を推定し、方向情報を転送するように構成されたシーク方向回路（８５８）をさらに備えた、請求項２３に記載のサーボ回路（４３６）。
【請求項３１】  位相エラー検出器（８１０）がさらに、前記トラック計数信号の一部分に基づいて、第１の信号および第２の信号を推定するように構成されている、請求項２３に記載のサーボ回路（４３６）。
【請求項３２】  光記憶媒体（４１２）上でのトラック横断回数を表すトラック計数信号を生成する方法であって、
第１のマルチプレクサ（４３０）で第１の相関信号（ＣＯＲＲ  Ｐ）および第１のコンパクトディスク信号を受け取り、光記憶媒体がディジタルビデオディスクである場合に第１の相関信号を転送し、光記憶媒体がコンパクトディスクである場合に第１のコンパクトディスク信号を転送するステップと、
第２のマルチプレクサ（４３２）で第２の相関信号（ＣＯＲＲ  Ｎ）および第２のコンパクトディスク信号を受け取り、光記憶媒体がディジタルビデオディスクである場合に第２の相関信号を転送し、光記憶媒体がコンパクトディスクである場合に第２のコンパクトディスク信号を転送するステップと、
光記憶媒体がディジタルビデオディスクである場合に、ディジタル位相同期ループ（４３６）で前記第１の相関信号および前記第２の相関信号を受け取り、前記第１の相関信号および前記第２の相関信号に基づいてトラック計数信号を生成するステップと、
光記憶媒体がコンパクトディスクである場合に、ディジタル位相同期ループで第１のコンパクトディスク信号および第２のコンパクトディスク信号を受け取り、前記第１のコンパクトディスク信号および前記第２のコンパクトディスク信号に基づいてトラック計数信号を生成するステップと
を特徴とする方法。
【請求項３３】  差動位相検出器（４２０）で、第１のカドラント信号（Ａ）、第２のカドラント信号（Ｂ）、第３のカドラント信号（Ｃ）および第４のカドラント信号（Ｄ）を受け取り、第１のカドラント信号、第２のカドラント信号、第３のカドラント信号および第４のカドラント信号に基づいて第１の相関信号（ＣＯＲＲ  Ｐ）および第２の相関信号（ＣＯＲＲ  Ｎ）を生成するステップをさらに含む、請求項３２に記載の方法。
【請求項３４】  前記第１のコンパクトディスク信号が、無線周波包絡線検波器からの無線周波包絡線信号を表す、請求項３２に記載の方法。
【請求項３５】  前記第２のコンパクトディスク信号が、コンパクトディスク位置エラー信号プロセッサ（４３８）によって生成されたコンパクトディスク位置エラー信号を表す、請求項３２に記載の方法。
【請求項３６】  光記憶媒体（４１２）上でのトラック横断回数を表すトラック計数信号を生成するサーボ回路（４０６）であって、
第１の相関信号（ＣＯＲＲ  Ｐ）および第１のコンパクトディスク信号を受け取り、光記憶媒体がディジタルビデオディスクである場合に第１の相関信号を転送し、光記憶媒体がコンパクトディスクである場合に第１のコンパクトディスク信号を転送するように構成された第１のマルチプレクサ（４３０）と、
第２の相関信号（ＣＯＲＲ  Ｎ）および第２のコンパクトディスク信号を受け取り、前記光記憶媒体がディジタルビデオディスクである場合に前記第２の相関信号を転送し、前記光記憶媒体がコンパクトディスクである場合に前記第２のコンパクトディスク信号を転送するように構成された第２のマルチプレクサ（４３２）と、
前記光記憶媒体がディジタルビデオディスクである場合に、前記第１の相関信号および前記第２の相関信号を受け取り、光記憶媒体がコンパクトディスクである場合に、前記第１のコンパクトディスク信号および前記第２のコンパクトディスク信号を受け取り、前記光記憶媒体がディジタルビデオディスクである場合に、前記第１の相関信号および前記第２の相関信号に基づいて前記トラック計数信号を生成し、前記光記憶媒体がコンパクトディスクである場合に、前記第１のコンパクトディスク信号および前記第２のコンパクトディスク信号に基づいて前記トラック計数信号を生成するように構成されたディジタル位相同期ループ（４３６）と
を特徴とするサーボ回路（４０６）。
【請求項３７】  前記第１のマルチプレクサ（４３０）および前記第２のマルチプレクサ（４３２）に結合され、第１のカドラント信号（Ａ）、第２のカドラント信号（Ｂ）、第３のカドラント信号（Ｃ）および第４のカドラント信号（Ｄ）を検出器（４１０）から受け取り、前記第１のカドラント信号、前記第２のカドラント信号、前記第３のカドラント信号および前記第４のカドラント信号を相関させて前記第１の相関信号（ＣＯＲＲ  Ｐ）を生成し、前記第１のカドラント信号、前記第２のカドラント信号、前記第３のカドラント信号および前記第４のカドラント信号を相関させて前記第２の相関信号（ＣＯＲＲ  Ｎ）を生成し、前記第１の相関信号を前記第１のマルチプレクサへ転送し、前記第２の相関信号を前記第２のマルチプレクサへ転送するように構成された差動位相検出器（４２０）をさらに備えた、請求項３６に記載のサーボ回路（４０６）。
【請求項３８】  前記第１のコンパクトディスク信号が、無線周波包絡線検波器からの無線周波包絡線信号を表す、請求項３６に記載のサーボ回路。
【請求項３９】  前記第２のコンパクトディスク信号が、コンパクトディスク位置エラー信号プロセッサ（４３８）によって生成されたコンパクトディスク位置エラー信号を表す、請求項３６に記載のサーボ回路。